(57)【要約】【課題】本発明は、マンションや事務所ビルなどで、退去、移転後の郵便受けポスト設備を第３者の使用制限により、設備維持管理をスムーズに行う装置を提供する。【解決手段】入居、入所者の決まらない期間、郵便受け設備は、一時的、長期的に使用出来ないように、郵便受けポスト投函口側を、固定カバーで閉め、美観と維持管理、退去、移転を文字による掲示で知らせ、入居、入所時には即時に使用出来る構造の装置を設ける。【選択図】図１
2011255133.tif 000002
【特許請求の範囲】
【請求項１】
郵便受けポストを一時的に使用出来ないように投函口側を固定カバーで閉めて、投函出来ない構造にする。
【請求項２】
入居、入所前に固定カバーは容易に、外部からは取り外しが出来ない構造にする。
【請求項３】
美観を重視、他の郵便受けポストと違和感もなく、材質を長期的に繰り返し使用出きるように、変色もない材質、構造にする。
【請求項４】
退去、移転したことを文字等で表示する構造にする。
【発明の詳細な説明】
【技術分野】
【０００１】  本発明は、マンションや事務所ビルなどの、郵便受けポストの使用制限と建築設備、美観と維持管理の装置に関するものです。
【背景技術】
【０００２】  従来の郵便受けポストは、マンションや事務所ビルの契約解除により退去、移転後、そのままにして置くか、簡単な張り紙を掲示するか、ガムテープで前面を貼り付けるなどが一般的な処理です。
退去、移転後の郵便受けポスト投函口を、使用制限しないと、業界のチラシ、一般郵便物、ダイレクトメール等のものが洪水のように投函続き、満杯状態になります。
使用できないよう、ガムテープの貼り付けは、簡便な方法ですが、長期的に貼り付けて置くと、テープが破れたり、剥がれたりで見苦しい、新規に入居、入所下見で、建築設備、美観のイメージにマイナス点大きく影響します。
【発明の開示】
【発明が解決しようとする課題】
【０００３】（イ）マンションや事務所ビルから退去、移転後に、郵便受けポスト投函口を、使用出来ないようにすること。
（ロ）郵便受けポスト使用者は、退去や移転したことがわかりやすいこと。
（ハ）新規に入居、入所した場合、郵便受けポストを即、使用出きること。
（ニ）建築設備、美観に対応すること。
（ホ）第３者が郵便受けポストを簡単に使用出来ないこと。
本発明は、これらの問題解決するためになされたものである。
【課題を解決するための手段】
【０００４】（イ）郵便受けポストを一時的、長期的に使用出来ないように投函口側を、固定カバーで閉めて、投函出来ない構造にする。
（ロ）入居、入所前に固定カバーは容易に、外部からは取り外しが出来ないことと、入居、入所時には、即使用出来る構造にする
（ハ）建築美観を重視、他の郵便受けポストと違和感もなく、材質を長期的に繰り返し使用出来るように、変色しない構造にする。
（ニ）退去、移転したことを文字等で表示する構造にする。
【発明の効果】
【０００５】  本発明は、不特定多数の使用する住居、事務所などの出入口に設けてある郵便受けポストで、２４時間使用する持ち主の顔となり、重要な設備です。
住居、事務所として使用しないときは、制限を設けることにより、尋ねて来た方や、郵便配達人が見て退去、移転していることが一目でわかり、売り込み用ダイレクトメールや広告チラシ等は投函出来なく、次の入居、入所がスムーズに出来、郵便受けポスト全体の建築設備、美観が保たれ全体の資産価値にプラスに結びつけることが大きい。
【発明を実施するための最良の形態】
【０００６】  以下、本発明の実態を説明する。
（イ）郵便受けポスト（１１）を一時的、長期的に使用出来ないように投函口（１２）側を、カバー（１）、（１ａ）、（１ｂ）で閉めて、投函出来ない構造にする。
（ロ）入居、入所前にカバー（１）、（１ａ）、（１ｂ）は容易に、外部からは取り外しが出来ないことと、入居、入所時には、即使用出来る構造にする
（ハ）建築設備、美観を重視、他の郵便受けポスト（１１）と違和感もなく、材質を長期的に繰り返し使用出来るように、変色しない構造にする。
（ニ）退去、移転したことを文字等で表示する構造にする。
本発明は以上の構成よりなる。
本発明を使用する場合は、
（イ）入居者や事務所の者が使用されていない郵便受けポスト（１１）を一時的、長期的使用しない間、郵便物、チラシ等が投函出来ないように、（図１０）使用例の前扉（１３）のダイヤル錠を解錠、前扉（１３）を開き、投函口（１２）外部から、投函口（１２）のサイズに合わせた、カバー（１）を取り付け、内側から接続の回転固定金具取手（５）を、ドライバ用回転穴（６）をドライバ（９）または、手動の手（１０）、で回転、所定の位置で固定し、投函口（１２）を封鎖、ダイヤル錠を施錠する。
（ロ）建物により、郵便受けポスト（１１）の構造に、（図１２）のように前から投函し、後扉（１４）で受け取る構造の場合は、後扉（１４）のダイヤル錠を解錠し、後扉（１４）を開き、投函口（１２）にカバー（１）を取り付け、後扉（１３）側から、ドライバをいれて、接続の回転固定金具取手（５）を回転固定、封鎖、ダイヤル錠を施錠する。
（ハ）郵便受けポスト（１１）の構造に合わせ、上記（イ）、（ロ）の項と違う、カバー（１ａ）の回転片側固定金具取手（５ａ）を下部側はカバー（１ａ）本体と一体の片側固定カバー（７）を下部側に差し込み、固定、上部は回転片側固定金具（２ａ）をドライバ（９）や、手動の手（１０）で回転固定、封鎖、ダイヤル錠を施錠する。
（ニ）郵便受けポスト（１１）の構造に合わせ、（イ）、（ロ）、（ハ）の項と違う、（図８）、（図９）のカバー（１ｂ）の両サイドに、スライド用固定金具（２ｂ）とスライド用長方穴（８）を設け、左右に移動出来る、固定金具取手（５ｂ）の蝶ネジで固定、封鎖、ダイヤル錠を施錠する。
（ホ）建築設備管理者が入居、入所や退去、移転の時にカバー（１）、（１ａ）、（１ｂ）取り外し、取り付けを繰り返し使用するように、長期に耐える材質とし、用途に合わせ文字を変えるものとする。
本発明は、以上のような建築設備管理の一つとしまして、提供致します。
【図面の簡単な説明】
【０００７】
【図１】郵便受けポストカバー回転固定金具の斜視図
【図２】郵便受けポストカバー回転固定金具の正面図
【図３】図２の郵便受けポストカバー回転固定金具の平面図
【図４】図２の郵便受けポストカバー回転固定金具の背面図
【図５】図２の郵便受けポストカバー回転固定金具の右側面図
【図６】郵便受けポストカバー回転片側固定金具の斜視図
【図７】図６の郵便受けポストカバー回転片側固定金具の右側面図
【図８】郵便受けポストカバー固定金具のスライド固定斜視図
【図９】図８の郵便受けポストカバー固定金具のスライド固定右側面図
【図１０】郵便受けポスト本体の前扉、取り出し使用口に、ポストカバーを取り付け中の斜視図
【図１１】図１０の前扉に、ポストカバーを取り付け、調整実施の左側面拡大図
【図１２】郵便受けポスト本体の後扉、取り出し使用口に、ポストカバーを取り付け中の斜視図  上記ポストカバー図は、図１０以外は使用中の状態図で表しています。
【符号の説明】
【０００８】（１）  回転固定止めカバー本体
（１ａ）回転片側固定止めカバー本体
（１ｂ）両端スライド固定止めカバー本体
（２）  回転固定金具
（２ａ）片側回転固定金具
（２ｂ）スライド用固定金具
（３）  回転固定金具接続ビス頭部
（４）  ワッシャー
（５）  回転固定金具取手
（５ａ）片側回転固定金具
（５ｂ）固定金具取手
（６）  ドライバ用回転穴
（６ａ）蝶ネジ
（７）  本体片側固定カバー
（８）  スライド用長方穴
（９）  ドライバ
（１０）手動使用手
（１１）郵便受けポスト
（１２）投函口
（１３  前扉
（１４）後扉
（１５）郵便ポスト入口ダンパ
【図１】
2011255133.tif 000003
【図２】
2011255133.tif 000004
【図３】
2011255133.tif 000005
【図４】
2011255133.tif 000006
【図５】
2011255133.tif 000007
【図６】
2011255133.tif 000008
【図７】
2011255133.tif 000009
【図８】
2011255133.tif 000010
【図９】
2011255133.tif 000011
【図１０】
2011255133.tif 000012
【図１１】
2011255133.tif 000013
【図１２】
2011255133.tif 000014